(57)【要約】  移動局ＵＥが、上りリンクにおいて、上りリンク用個別リソースを用いて無線基地局ｅＮＢに対して制御信号を送信する移動通信方法において、上りリンク用個別リソースが設定されている場合と、上りリンク用個別リソースが設定されていない場合とで、上りリンクにおいて同期状態が確立されているか否かについての判定方法が異なる。
2008133310.tif 000002
【特許請求の範囲】
【請求項１】
移動局が、上りリンクにおいて、上りリンク用個別リソースを用いて無線基地局に対して制御信号を送信する移動通信方法であって、
前記上りリンク用個別リソースが設定されている場合と、前記上りリンク用個別リソースが設定されていない場合とで、前記上りリンクにおいて同期状態が確立されているか否かについての判定方法が異なることを特徴とする移動通信方法。
【請求項２】
前記上りリンク用個別リソースが設定されていない場合には、前記無線基地局において、一時的に割り当てられたリソースを用いて送信された上りリンクデータ信号に対する受信処理に成功した場合に、前記上りリンクにおいて同期状態が確立されていると判定することを特徴とする請求項１に記載の移動通信方法。
【請求項３】
前記上りリンク用個別リソースが設定されている場合には、該上りリンク用個別リソースを用いて送信された前記制御信号の受信タイミングが、所定期間連続して所定範囲外である場合に、前記上りリンクにおいて同期状態が確立されていないと判定することを特徴とする請求項１又は２に記載の移動通信方法。
【請求項４】
上りリンクにおいて、上りリンク用個別リソースを用いて移動局から送信された制御信号を受信する無線基地局であって、
前記上りリンクにおいて同期状態が確立されているか否かについて判定するように構成されている同期状態管理部を具備し、
前記上りリンク用個別リソースが設定されている場合と、前記上りリンク用個別リソースが設定されていない場合とで、前記上りリンクにおいて同期状態が確立されているか否かについての判定方法が異なることを特徴とする無線基地局。
【請求項５】
前記同期状態管理部は、前記上りリンク用個別リソースが設定されていない場合には、前記無線基地局において、一時的に割り当てられたリソースを用いて送信された上りリンクデータ信号に対する受信処理に成功した場合に、前記上りリンクにおいて同期状態が確立されていると判定することを特徴とする請求項４に記載の無線基地局。
【請求項６】
前記同期状態管理部は、前記上りリンク用個別リソースが設定されている場合には、該上りリンク用個別リソースを用いて送信された前記制御信号の受信タイミングが、所定期間連続して所定範囲外である場合に、前記上りリンクにおいて同期状態が確立されていないと判定することを特徴とする請求項４又は５に記載の無線基地局。
【発明の詳細な説明】
【技術分野】
【０００１】
本発明は、移動局が、上りリンクにおいて、上りリンク用個別リソースを用いて無線基地局に対して制御信号を送信する移動通信方法、及び、無線基地局に関する。
【背景技術】
【０００２】
一般的に、移動通信システムでは、無線基地局ｅＮＢと移動局ＵＥとの間の距離の違いによって、無線基地局ｅＮＢにおける各移動局ＵＥからの信号の伝播遅延が異なる。例えば、無線基地局ｅＮＢ近傍に位置する移動局ＵＥからの信号の伝播遅延に比べて、セル端に位置する移動局ＵＥからの信号の伝播遅延は大きい。【０００３】
近年、３ＧＰＰで標準化が進められている「ＬＴＥ（Ｌｏｎｇ  Ｔｅｒｍ  Ｅｖｏｌｕｔｉｏｎ）」等の無線アクセス方式では、無線基地局ｅＮＢにおける各移動局ＵＥからの信号（上りリンクデータ信号や制御信号等）の受信タイミング差が一定範囲（無線サブフレーム内の各情報シンボルに付与されるＣｙｃｌｉｃ  ｐｒｅｆｉｘ長）以内に収まっていれば、各移動局ＵＥからの信号が直交するため、各移動局ＵＥについて上りリンクにおいて同期状態が確立されていると判定される。【０００４】
具体的には、かかる無線アクセス方式では、上りリンク用個別リソース（例えば、ＰＵＣＣＨ：Ｐｈｙｓｉｃａｌ  Ｕｐｌｉｎｋ  Ｃｏｎｔｒｏｌ  Ｃｈａｎｎｅｌ）が設定されている場合には、無線基地局ｅＮＢが、各移動局ＵＥから当該上りリンク用個別リソースを用いて送信された制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）の受信タイミングの基準受信タイミングからのオフセットを測定することによって、各移動局ＵＥについて上りリンクにおいて同期状態が確立されているか否かについて判定することができる。
【非特許文献１】３ＧＰＰ  ＴＳＧ  ＲＡＮ  ＷＧ１  Ｍｅｅｔｉｎｇ  ＃４７ｂｉｓ  Ｒ１-０７０１０６、２００７年１月１５日
【発明の開示】
【０００５】
しかしながら、ＬＴＥ等の無線アクセス方式では、上りリンク用個別リソースが設定されていない場合には、各移動局ＵＥは、上述の制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を送信することができず、無線基地局ｅＮＢが、上述の制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）の受信タイミングの基準受信タイミングからのオフセットを測定することができないため、各移動局ＵＥについて上りリンクにおいて同期状態が確立されているか否かについて判定することができないという問題点があった。
【０００６】
そこで、本発明は、上述の課題に鑑みてなされたものであり、上りリンク用個別リソースが設定されているか否かに関らず、各移動局ＵＥについて上りリンクにおいて同期状態が確立されているか否かについて判定することができる移動通信方法及び無線基地局を提供することを目的とする。
【０００７】
本発明の第１の特徴は、移動局が、上りリンクにおいて、上りリンク用個別リソースを用いて無線基地局に対して制御信号を送信する移動通信方法であって、前記上りリンク用個別リソースが設定されている場合と、前記上りリンク用個別リソースが設定されていない場合とで、前記上りリンクにおいて同期状態が確立されているか否かについての判定方法が異なることを要旨とする。
【０００８】
本発明の第１の特徴において、前記上りリンク用個別リソースが設定されていない場合には、前記無線基地局において、一時的に割り当てられたリソースを用いて送信された上りリンクデータ信号に対する受信処理に成功した場合に、前記上りリンクにおいて同期状態が確立されていると判定してもよい。
【０００９】
本発明の第１の特徴において、前記上りリンク用個別リソースが設定されている場合には、該上りリンク用個別リソースを用いて送信された前記制御信号の受信タイミングが、所定期間連続して所定範囲外である場合に、前記上りリンクにおいて同期状態が確立されていないと判定してもよい。
【００１０】
本発明の第２の特徴は、上りリンクにおいて、上りリンク用個別リソースを用いて移動局から送信された制御信号を受信する無線基地局であって、前記上りリンクにおいて同期状態が確立されているか否かについて判定するように構成されている同期状態管理部を具備し、前記上りリンク用個別リソースが設定されている場合と、前記上りリンク用個別リソースが設定されていない場合とで、前記上りリンクにおいて同期状態が確立されているか否かについての判定方法が異なることを要旨とする。
【００１１】
本発明の第２の特徴において、前記同期状態管理部は、前記上りリンク用個別リソースが設定されていない場合には、前記無線基地局において、一時的に割り当てられたリソースを用いて送信された上りリンクデータ信号に対する受信処理に成功した場合に、前記上りリンクにおいて同期状態が確立されていると判定してもよい。
【００１２】
本発明の第２の特徴において、前記同期状態管理部は、前記上りリンク用個別リソースが設定されている場合には、該上りリンク用個別リソースを用いて送信された前記制御信号の受信タイミングが、所定期間連続して所定範囲外である場合に、前記上りリンクにおいて同期状態が確立されていないと判定してもよい。
【００１３】
以上説明したように、本発明によれば、上りリンク用個別リソースが設定されているか否かに関らず、各移動局ＵＥについて上りリンクにおいて同期状態が確立されているか否かについて判定することができる移動通信方法及び無線基地局を提供することができる。
【図面の簡単な説明】
【００１４】
【図１】図１は、本発明の第１の実施形態に係る移動通信システムの全体構成図である。
【図２】図２は、本発明の第１の実施形態に係る無線機地局の機能ブロック図である。
【図３】図３は、本発明の第１の実施形態に係る移動通信システムにおける無線基地局及び移動局の上りリンク用個別リソースの設定/解放に応じた同期状態を示す図である。
【図４】図４は、本発明の第１の実施形態に係る移動通信システムにおける上りリンクデータ信号の送信再開手順の一例を示す図である。
【図５】図５は、本発明の第１の実施形態に係る移動通信システムの動作を示すフローチャートである。
【図６】図６は、本発明の第１の実施形態に係る移動通信システムの動作を示すフローチャートである。
【図７】図７は、本発明の第１の実施形態に係る移動通信システムにおける上りリンク同期確立手順の一例を示す図である。
【図８】図８は、本発明の第１の実施形態に係る移動通信システムの動作を示すフローチャートである。
【図９】図９は、本発明の第１の実施形態に係る無線機地局の同期状態の遷移図である。
【図１０】図１０は、本発明の第１の実施形態に係る移動局の同期状態の遷移図である。
【図１１】図１１は、本発明の実施形態に係る無線基地局のハードウエア構成の一例を示す図である。
【発明を実施するための最良の形態】
【００１５】
（本発明の第１の実施形態に係る移動通信システムの構成）
図１乃至図４を参照して、本発明の第１の実施形態に係る移動通信システムの構成について説明する。【００１６】
本実施形態に係る移動通信システムは、図１に示すように、無線基地局ｅＮＢと、移動局ＵＥとを具備している。【００１７】
無線基地局ｅＮＢは、上りリンク用共有リソース（例えば、ＵＬ-ＳＣＨ：Ｕｐｌｉｎｋ  Ｓｈａｒｅｄ  Ｃｈａｎｎｅｌ）を用いて、移動局ＵＥからの上りリンクデータ信号（例えば、ユーザデータ信号）を受信し、上りリンク用個別リソース（例えば、ＰＵＣＣＨ）を用いて、移動局ＵＥからの制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を受信するように構成されている。【００１８】
また、無線基地局ｅＮＢは、下りリンク用共有リソース（例えば、ＤＬ-ＳＣＨ：Ｄｏｗｎｌｉｎｋ  Ｓｈａｒｅｄ  Ｃｈａｎｎｅｌ）を用いて、移動局ＵＥに対して下りリンクデータ信号（例えば、ユーザデータ信号）を送信するように構成されている。【００１９】
移動局ＵＥは、上りリンク用共有リソース（例えば、ＵＬ-ＳＣＨ）を用いて、無線基地局ｅＮＢに対する上りリンクデータ信号（例えば、ユーザデータ信号）を送信し、上りリンク用個別リソース（例えば、ＰＵＣＣＨ）を用いて、無線基地局ｅＮＢに対する制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を送信するように構成されている。【００２０】
また、移動局ＵＥは、下りリンク用共有リソース（例えば、ＤＬ-ＳＣＨ）を用いて、無線基地局ｅＮＢからの下りリンクデータ信号（例えば、ユーザデータ信号）を受信するように構成されている。【００２１】
図２に示すように、本実施形態に係る無線基地局ｅＮＢは、同期状態管理部１１と、上りリンク用個別リソース受信部１２と、上りリンク用共有リソース受信部１３と、上りリンク同期確立要求送信部１５と、プリアンブル受信部１６と、ＴＡコマンド送信部１７と、割当信号送信部１８とを具備している。【００２２】
同期状態管理部１１は、上りリンクにおいて同期状態が確立されているか否かについて判定するように構成されている。【００２３】
ここで、同期状態管理部１１は、上りリンク用個別リソースが設定されている場合と、上りリンク用個別リソースが設定されていない場合とで、上りリンクにおいて同期状態が確立されているか否かについての判定方法（判定アルゴリズム）を変更するように構成されている。【００２４】
具体的には、同期状態管理部１１は、上りリンク用個別リソースが設定されていない場合には、無線基地局ｅＮＢにおいて、一時的に割り当てられたリソースを用いて送信された上りリンクデータ信号に対する受信処理に成功した場合に、上りリンクにおいて同期状態が確立されていると判定する。【００２５】
例えば、同期状態管理部１１は、移動局ＵＥに対して一時的に割り当てられた上りリンク用共有リソース（例えば、ＵＬ-ＳＣＨ）を用いて当該移動局ＵＥから送信された「ＲＲＣ  Ｃｏｎｎｅｃｔｉｏｎ  Ｒｅｑｕｅｓｔメッセージ」や「Ｈａｎｄｏｖｅｒ  Ｃｏｍｐｌｅｔｅメッセージ」や「バッファレポート」等の上りリンクデータ信号に対するＣＲＣ（Ｃｙｃｌｉｃ  Ｒｅｄｕｎｄａｎｃｙ  Ｃｈｅｃｋ）等の誤り検出方式を用いた当該上りリンクデータに対する受信処理に成功した場合に、上りリンクにおいて同期状態が確立されていると判定する。【００２６】
また、同期状態管理部１１は、上りリンク用個別リソースが設定されている場合には、上りリンク用個別リソースを用いて送信された制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）の受信タイミングが、所定期間連続して受信側ウィンドウの範囲外である場合に、上りリンクにおいて同期状態が確立されていないと判定する。【００２７】
かかる場合の具体的な判定方法（判定アルゴリズム）については、図５乃至図８を用いて後述する。【００２８】
上りリンク用個別リソース受信部１２は、移動局ＵＥとの間で、上りリンク用個別リソースを設定し、設定された上りリンク用個別リソースを用いて、移動局ＵＥから送信された制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を受信するように構成されている。【００２９】
上りリンク用共有リソース受信部１３は、特定の送信機会において、特定の移動局ＵＥに対して割り当てられた上りリンク用共有リソースを用いて当該移動局ＵＥから送信された上りユーザデータ信号を受信するように構成されている。【００３０】
上りリンク同期確立要求送信部１５は、同期状態管理部１１によって、移動局ＵＥについて上りリンクにおいて同期状態が確立されていない（すなわち、同期外れ状態である）と判定された場合、当該移動局ＵＥに対して、上りリンク同期確立要求を送信するように構成されている。【００３１】
プリアンブル受信部１６は、移動局ＵＥから、非同期ＲＡＣＨ（Ｒａｎｄｏｍ  Ａｃｃｅｓｓ  Ｃｈａｎｎｅｌ）によって送信されたプリアンブル（各移動局ＵＥに対して個別に割り当てられた当該移動局ＵＥを識別するためのデータ系列）を受信するように構成されている。なお、プリアンブル受信部１６は、各移動局ＵＥに対して、非同期ＲＡＣＨによって送信すべきプリアンブルを割り当てるように構成されている。【００３２】
ＴＡコマンド送信部１７は、上りリンク同期確立要求送信部１５によって上り同期確立要求が送信された後、移動局ＵＥからプリアンブルを受信した場合、移動局ＵＥから通知されたプリアンブルの受信タイミングに応じて、上りリンクデータ信号の送信タイミングを調整するためのＴＡ（Ｔｉｍｉｎｇ  Ａｄｖａｎｃｅ）コマンドを生成するように構成されている。【００３３】
割当信号送信部１８は、特定の送信機会において、各移動局ＵＥに対して、上りリンクデータ信号を送信するための上りリンク用共有リソース（例えば、ＵＬ-ＳＣＨ）を割り当てる割当信号（例えば、Ｌ１/Ｌ２  Ｃｏｎｔｒｏｌ  Ｃｈａｎｎｅｌ）を送信するように構成されている。【００３４】
また、割当信号送信部１８は、各移動局ＵＥに対して、バッファレポートを送信するための一時的な上りリンク用共有リソースを割り当てる割当信号を送信するように構成されている。【００３５】
なお、図３に示すように、無線基地局ｅＮＢは、上りリンク用個別リソースが設定されている場合には、上りリンクにおいて、同期状態、同期外れ状態（タイプＡ）、同期外れ状態（タイプＢ）の何れかの状態であると判定する。【００３６】
また、無線基地局ｅＮＢは、上りリンク用個別リソースが設定されていない場合には、上りリンクにおいて、同期外れ状態又は同期状態（過渡状態）の何れかの状態であると判定する。【００３７】
一方、移動局ＵＥは、上りリンク用個別リソースが設定されている場合には、上りリンクにおいて、同期状態又は同期外れ状態の何れかの状態であると判定する。【００３８】
また、移動局ＵＥは、上りリンク用個別リソースが設定されていない場合には、上りリンクにおいて、同期外れ状態又は同期状態（過渡状態）の何れかの状態であると判定する。【００３９】
ここで、同期外れ状態（タイプＡ）は、移動局ＵＥの移動に伴い、上りリンクにおける当該移動局ＵＥからの上りリンクデータ信号の受信タイミングが次第にずれて行き一定範囲から外れてしまった状態を示す。【００４０】
また、同期外れ状態（タイプＢ）は、移動局ＵＥのセル端への移動等により、上りリンクデータ信号の受信電力が所要の閾値以下となったため、上りリンクにおける通信の継続ができない状態を示す。【００４１】
また、図４に示す本実施形態に係る移動通信システムにおける上りリンクデータ信号の送信再開手順を参照して、同期状態（過渡状態）について説明する。【００４２】
図４に示すように、上りリンクデータ信号の送信再開を望む移動局ＵＥは、ステップＳ１において、非同期ＲＡＣＨを用いて、所定範囲のプリアンブルの中から選択したプリアンブルを無線基地局ｅＮＢに対して送信する。【００４３】
ステップＳ２において、無線基地局ｅＮＢのＴＡコマンド送信部１７が、受信したプリアンブルの受信タイミングの基準受信タイミングからのオフセットを測定する。【００４４】
ステップＳ３において、無線基地局ｅＮＢのＴＡコマンド送信部１７が、上述のプリアンブルに対する応答として、かかる測定結果を通知するためのＴＡコマンドを送信すると共に、及び、無線基地局ｅＮＢの割当信号送信部１８が、バッファレポートを送信するための一時的な上りリンク用共有リソースを割り当てる割当信号を送信する。【００４５】
ステップＳ４において、移動局ＵＥは、受信したＴＡコマンドによって通知された測定結果に応じて、上りリンクデータ信号（及び、制御信号）の送信タイミングを調整すると共に、調整された送信タイミングで、一時的に割り当てられた上りリンク用共有リソース（例えば、ＵＬ-ＳＣＨ）を介して、セル内の移動局ＵＥを個別に識別する識別子（Ｃ-ＲＮＴＩ：Ｃｅｌｌ−Ｒａｄｉｏ  Ｎｅｔｏｗｏｒｋ  Ｔｅｍｐｏｒａｒｙ  Ｉｄｅｎｔｉｆｉｅｒ）、及び、当該移動局ＵＥのバッファ情報を通知するためのバッファレポートを送信する。【００４６】
ステップＳ４において、無線基地局ｅＮＢの上りリンク用共有リソース受信部１３が、上述のＣ-ＲＮＴＩ及びバッファレポートに対する受信処理に成功すると、ステップＳ５において、無線基地局ｅＮＢの上りリンク用個別リソース受信部１２は、上りリンクにおける同期が確立したものと判断して、当該移動局ＵＥに対して上りリンク用個別リソース（例えば、ＰＵＣＣＨ）を設定し、無線基地局ｅＮＢの割当信号送信部１８は、かかる上りリンク用個別リソースを当該移動局ＵＥに対して割り当てる割当信号を送信する。【００４７】
ここで、無線基地局ｅＮＢでは、上述のＣ-ＲＮＴＩ及びバッファレポートを受信した時点（Ｔ１ ）から割当信号を送信した時点（Ｔ２）までの期間が、上りリンク用個別リソースが設定していない状態で、上りリンクにおいて同期状態が確立されている状態である「同期状態（過渡状態）」となる。【００４８】
一方、移動局ＵＥでは、上述のＣ-ＲＮＴＩ及びバッファレポートを送信した時点（Ｔ０ ）から割当信号を受信した時点（Ｔ３）までの期間が、上りリンク用個別リソースが設定していない状態で、上りリンクにおいて同期状態が確立されている状態である「同期状態（過渡状態）」となる。【００４９】
なお、図２に示す無線基地局ｅＮＢ及び移動局ＵＥを構成する機能（モジュール）の一部又は全部は、汎用プロセッサや、ＤＳＰ（Ｄｉｇｉｔａｌ  Ｓｉｇｎａｌ  Ｐｒｏｓｅｓｓｏｒ）や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）や、ＦＰＧＡ（Ｆｉｅｌｄ  Ｐｒｏｇｒａｍｍａｂｌｅ  Ｇａｔｅ  Ａｒｒａｙ）や、ディスクリート・ゲート又はトランジスタ・ロジックや、ディスクリート・ハードウェア・コンポーネントや、これらの任意の組み合わせ等で実現されるように構成されていてもよい。【００５０】
例えば、図１１に示すように、無線基地局ｅＮＢが、無線信号処理を行うＲＦ／ＩＦユニット５１と、ベースバンド信号処理を行うプロセッサ５２と、アプリケーションを実行するＭＰＵ（Ｍｉｃｒｏ Ｐｒｏｃｅｓｓｉｎｇ Ｕｎｉｔ）５３と、ＲＡＭ（Ｒａｎｄｏｍ  Ａｃｃｅｓｓ  Ｍｅｍｏｒｙ）５４と、ＲＯＭ（Ｒｅａｄ  Ｏｎｌｙ  Ｍｅｍｏｒｙ）５５とを備える場合を例に挙げて説明する。【００５１】
かかる場合、無線基地局ｅＮＢのプロセッサ５２が、汎用プロセッサや、ＤＳＰや、ＡＳＩＣや、ＦＰＧＡや、ディスクリート・ゲート又はトランジスタ・ロジックや、ディスクリート・ハードウェア・コンポーネントや、これらの任意の組み合わせ等で構成され、図２に示す無線基地局ｅＮＢを構成する機能（モジュール）の一部又は全部を実現してもよい。なお、移動局ＵＥが、上述した構成のプロセッサを備えていてもよい。【００５２】
ここで、汎用プロセッサは、マイクロプロセッサであってもよいし、従来のプロセッサやコントローラやマイクロコントローラやステートマシンであってもよい。【００５３】
また、プロセッサは、例えば、ＤＳＰとマイクロプロセッサとの組み合わせや、複数のマイクロプロセッサの組み合わせや、１つ又は複数のマイクロプロセッサとＤＳＰコアとの組み合わせ等、任意のコンピューティングデバイスの組み合わせとして実装されていてもよい。【００５４】
（本発明の第１の実施形態に係る移動通信システムの動作）
図５乃至図７を参照して、本発明の第１の実施形態に係る移動通信システムの動作、すなわち、本実施形態に係る無線基地局における同期判定アルゴリズムについて説明する。【００５５】
図５に示すように、ステップＳ１０１において、無線基地局ｅＮＢが、所定タイミングで、所定の移動局ＵＥに対して、上りリンク用個別リソースが設定されているか否かについて判定する。上りリンク用個別リソースが設定されていると判定された場合、本動作は、図６に進み、上りリンク用個別リソースが設定されていないと判定された場合、本動作は、図７に進む。【００５６】
図６に示すように、ステップＳ２０１において、無線基地局ｅＮＢは、電力判定用カウンタ及びタイミング判定用カウンタを「０」に設定する。【００５７】
ステップＳ２０２において、無線基地局ｅＮＢは、当該上りリンク用個別リソースを用いて当該移動局ＵＥから送信された制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）の受信電力と電力用判定閾値を比較する。【００５８】
制御信号の受信電力が電力用判定閾値よりも大きいと判定された場合、本動作は、ステップＳ２０３に進み、それ以外の場合、無線基地局ｅＮＢは、上りリンクにおいて同期外れ状態（タイプＢ）であると判定し、本動作は、ステップＳ２０６に進む。【００５９】
ステップＳ２０３において、無線基地局ｅＮＢは、電力判定用カウンタを「０」に設定する。【００６０】
ステップＳ２０４において、無線基地局ｅＮＢは、上述の制御信号の受信タイミングと受信側ウィンドウとを比較する。【００６１】
上述の制御信号の受信タイミングが受信側ウィンドウ（所定範囲）内にあると判定された場合、本動作は、ステップＳ２０５に進み、それ以外の場合、無線基地局ｅＮＢは、上りリンクにおいて同期外れ状態（タイプＡ）であると判定し、本動作は、ステップＳ２０９に進む。【００６２】
ステップＳ２０５において、無線基地局ｅＮＢは、上りリンクにおいて同期状態が確立されていると判定する。                                                
ステップＳ２０６において、無線基地局ｅＮＢは、電力判定用カウンタを「１」だけ増加する。【００６３】
ステップＳ２０７において、無線基地局ｅＮＢは、電力判定用カウンタが電力判定用保護段数と等しいか否かについて判定する。【００６４】
電力判定用カウンタと電力判定用保護段数とが等しいと判定された場合、本動作は、ステップＳ２０８に進み、それ以外の場合、本動作は、ステップＳ２０２に戻る。【００６５】
ステップＳ２０８において、無線基地局ｅＮＢは、ＲＲＣコネクションを解放する。【００６６】
ステップＳ２０９において、無線基地局ｅＮＢは、タイミング判定用カウンタを「１」だけ増加する。【００６７】
ステップＳ２１０において、無線基地局ｅＮＢは、タイミング判定用カウンタがタイミング判定用保護段数と等しいか否かについて判定する。【００６８】
タイミング判定用カウンタとタイミング判定用保護段数とが等しいと判定された場合、本動作は、ステップＳ２１１に進み、それ以外の場合、本動作は、ステップＳ２０２に戻る。【００６９】
ステップＳ２１１において、無線基地局ｅＮＢは、当該移動局ＵＥとの間で上りリンクにおける同期状態を確立するために、当該移動局ＵＥに対して、上りリンク同期確立要求を送信する。【００７０】
図７に示すように、無線基地局ｅＮＢが、当該移動局ＵＥに対して、上りリンク同期確立要求（「ＵＬ  ｓｙｎｃｈ  ｒｅｑｕｅｓｔ」）を送信すると（ステップＳ１１）、ステップＳ１２において、移動局ＵＥが、非同期ＲＡＣＨを用いて、上述の上りリンク同期確立要求によって指定されたプリアンブルを送信する。【００７１】
ここで、上りリンク同期確立要求は、かかるプリアンブル自身を含むのではなく、かかるプリアンブルを識別する識別子を含むように構成されていてもよい。【００７２】
また、移動局ＵＥは、上述の上りリンク同期確立要求によって指定されたプリアンブルを用いる代わりに、所定のプリアンブルの中からランダムに選択したプリアンブルを用いるように構成されていてもよい。【００７３】
ステップＳ１３において、無線基地局ｅＮＢが、受信したプリアンブルの受信タイミングの基準受信タイミングからのオフセットを測定する。【００７４】
ステップＳ１４において、無線基地局ｅＮＢが、ＭＡｃ-ｃｏｎｔｒｏｌ-ＰＤＵとして、かかる測定結果を通知するためのＴＡコマンドを送信する。ここで、移動局ＵＥは、受信したＴＡコマンドによって通知された測定結果に応じて、上りリンクデータ信号（及び、制御信号）の送信タイミングを調整する。【００７５】
図８に示すように、ステップＳ３０１において、無線基地局ｅＮＢは、当該移動局ＵＥに対して一時的に割り当てられた上りリンク用共有リソースを用いて送信された「ＲＲＣ  Ｃｏｎｎｅｃｔｉｏｎ  Ｒｅｑｕｅｓｔメッセージ」や「Ｈａｎｄｏｖｅｒ  Ｃｏｍｐｌｅｔｅメッセージ」や「バッファレポート」等の上りリンクデータ信号に対するＣＲＣ（Ｃｙｃｌｉｃ  Ｒｅｄｕｎｄａｎｃｙ  Ｃｈｅｃｋ）等の誤り検出方式を用いた当該上りリンクデータ信号に対する受信処理に成功したか否かについて判定する。【００７６】
かかる受信処理が成功したと判定された場合、ステップＳ３０２において、無線基地局ｅＮＢは、上りリンクにおいて同期状態が確立されていると判定する。【００７７】
例えば、図９に示すように、無線基地局ｅＮＢは、上りリンク用個別リソースが解放された場合、図６において同期外れ状態であると判定された場合（具体的には、図６のステップ２１０において「ＹＥＳ」であると判定された場合）、或いは、下りリンクデータ信号を送信しない状態で所定期間が経過した場合（Ｉｎａｃｔｉｖｅタイマが満了した場合）に、「同期状態」から「同期外れ状態（タイプＡ）」に遷移すると判定される。【００７８】
また、無線基地局ｅＮＢは、上りリンク用個別リソースが設定されていない状態で、一時的に割り当てられた上りリンク用共有リソースを介して送信された上りリンクデータ信号（例えば、バッファレポート）に対するＣＲＣを用いた受信処理が成功した場合に、「同期外れ状態（タイプＡ）」から「同期状態」に遷移すると判定される。【００７９】
一方、図１０に示すように、移動局ＵＥは、下りリンクデータ信号を受信しない状態で所定期間が経過した場合（Ｉｎａｃｔｉｖｅタイマが満了した場合）、上りリンク用個別リソースを解放した場合、或いは、ＤＲＸ周期を変更した場合（Ｌｏｎｇ-ＤＲＸ周期又はＳｈｏｒｔ-ＤＲＸ周期を開始した場合）に、「同期状態」から「同期外れ状態」に遷移すると判定される。【００８０】
また、移動局ＵＥは、上りリンク用個別リソースが設定されていない状態で、無線基地局ｅＮＢからＴＡコマンドを受信し、かかるＴＡコマンドに対するＣＲＣを用いた受信処理が成功した場合に、「同期外れ状態」から「同期状態」に遷移すると判定される。【００８１】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。【００８２】
より一般的には、ＲＲＣ、ＲＬＣ、ＭＡＣ、ＰＨＹといった無線プロトコルをサポートしたソフトウェアをプロトコルスタック（ソフトウェア）と呼び、このソフトウェアのうち、より低位のプロトコル（例えば、ＰＨＹ、ＭＡＣ）程、半導体プロセッサとしてハードウェア化される傾向にある。特に移動局ＵＥにおいては小型化、省電力化の要求から、半導体プロセッサとしてハードウェア化する傾向にある。さらに、小型基地局（フェムトセル・ＨｏｍｅｅＮＢ）においても同様な小型化、省電力化のニーズがあることから、半導体プロセッサとしてハードウェア化されてもよい。【００８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。【００８５】
（本発明の第１の実施形態に係る移動通信システムの作用・効果）
本発明の第１の実施形態に係る移動通信システムによれば、上りリンク用個別リソースが設定されているか否かに関らず、各移動局ＵＥについて上りリンクにおいて同期状態が確立されているか否かについて判定することができる。【００８６】
以上、上述の実施形態を用いて本発明について詳細に説明したが、当業者にとっては本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【００８７】
なお、日本国特許出願第２００７−１１４９０３号（２００７年４月２４日出願）の全内容が、参照により、本願明細書に組み込まれている。
【産業上の利用の可能性】
【００８８】
以上のように、本発明に係る移動通信方法及び無線基地局は、上りリンク用個別リソースが設定されているか否かに関らず、各移動局ＵＥについて上りリンクにおいて同期状態が確立されているか否かについて判定することができるため、移動体通信などの無線通信において有用である。
【図１】
2008133310.tif 000003
【図２】
2008133310.tif 000004
【図３】
2008133310.tif 000005
【図４】
2008133310.tif 000006
【図５】
2008133310.tif 000007
【図６】
2008133310.tif 000008
【図７】
2008133310.tif 000009
【図８】
2008133310.tif 000010
【図９】
2008133310.tif 000011
【図１０】
2008133310.tif 000012
【図１１】
2008133310.tif 000013
【手続補正書】
【提出日】平成22年2月24日(2010.2.24)
【手続補正１】
【補正対象書類名】明細書
【補正対象項目名】００２５
【補正方法】変更
【補正の内容】
【００２５】
例えば、同期状態管理部１１は、移動局ＵＥに対して一時的に割り当てられた上りリンク用共有リソース（例えば、ＵＬ‐ＳＣＨ）を用いて当該移動局ＵＥから送信された「ＲＲＣ  Ｃｏｎｎｅｃｔｉｏｎ  Ｒｅｑｕｅｓｔメッセージ」や「Ｈａｎｄｏｖｅｒ  Ｃｏｍｐｌｅｔｅメッセージ」や「バッファレポート」等の上りリンクデータ信号に対するＣＲＣ（Ｃｙｃｌｉｃ  Ｒｅｄｕｎｄａｎｃｙ  Ｃｈｅｃｋ）等の誤り検出方式を用いた当該上りリンクデータ信号に対する受信処理に成功した場合に、上りリンクにおいて同期状態が確立されていると判定する。
【手続補正２】
【補正対象書類名】明細書
【補正対象項目名】００４５
【補正方法】変更
【補正の内容】
【００４５】
ステップＳ４において、移動局ＵＥは、受信したＴＡコマンドによって通知された測定結果に応じて、上りリンクデータ信号（及び、制御信号）の送信タイミングを調整すると共に、調整された送信タイミングで、一時的に割り当てられた上りリンク用共有リソース（例えば、ＵＬ‐ＳＣＨ）を介して、セル内の移動局ＵＥを個別に識別する識別子（Ｃ‐ＲＮＴＩ：Ｃｅｌｌ‐Ｒａｄｉｏ  Ｎｅｔｗｏｒｋ  Ｔｅｍｐｏｒａｒｙ  Ｉｄｅｎｔｉｆｉｅｒ）、及び、当該移動局ＵＥのバッファ情報を通知するためのバッファレポートを送信する。
【手続補正３】
【補正対象書類名】図面
【補正対象項目名】図１１
【補正方法】変更
【補正の内容】
【図１１】
2008133310.tif 000014
【国際調査報告】
2008133310.tif 000015
2008133310.tif 000016